(57)【要約】      （修正有）【課題】複層ろ過が可能で、乾燥、殺菌、及び除臭の機能を持つ靴浄化機を提供する。【解決手段】本体１０の内部に設けられ、空気をろ過するための活性炭層２１、ろ過空気の温度を上げるためのＰＴＣ加熱器２２、及び空気の流れを促進するためのファン２３を有する浄化装置２０と、本体１０の頂部に設けられ、浄化装置２０に連通される吸気孔１１、及び浄化装置２０を操作するための操作インターフェース１４と、本体１０の周囲に靴を掛止可能に形成され、表面に通気孔１３を有する複数の支え１２とを備える。【選択図】図３
0003141680.tif 000002
【実用新案登録請求の範囲】
【請求項１】
本体１０の内部に設けられ、空気をろ過するための活性炭層２１、ろ過空気の温度を上げるためのＰＴＣ加熱器２２、及び空気の流れを促進するためのファン２３を有する浄化装置２０と、
前記本体１０の頂部に設けられ、前記浄化装置２０に連通される吸気孔１１、及び前記浄化装置２０を操作するための操作インターフェース１４と、
前記本体１０の周囲に靴３０を掛止可能に形成され、表面に通気孔１３を有する複数の支え１２と、
を備えたことを特徴とする靴浄化機。
【請求項２】
前記浄化装置２０は空気を浄化するためのマイナスイオン生成器２５を有する請求項１に記載の靴浄化機。
【請求項３】
前記浄化装置２０は空気を浄化するためのオゾン生成器２４を有し、前記操作インターフェース１４は前記オゾン生成器２４を起動し、作動させるための制御ボタン１４１を有する請求項１又は２に記載の靴浄化機。
【請求項４】
前記支え１２はカーブ形状で、表面の通気孔１３はリング状に並べられて設けられる請求項１乃至３のいずれかに記載の靴浄化機。
【請求項５】
前記支え１２は頂部に空気を流すための通し孔１３１が設けられる請求項１乃至４のいずれかに記載の靴浄化機。
【請求項６】
前記本体１０は頂部を開閉可能にカバー１０１が設けられ、前記本体１０の内部部品が交換可能に構成される請求項１乃至５のいずれかに記載の靴浄化機。
【請求項７】
前記ＰＴＣ加熱器２２とファン２３がつながって設置され、前記ＰＴＣ加熱器２２と前記活性炭層２１がつながって設置される請求項１乃至６のいずれかに記載の靴浄化機。
【請求項８】
前記ＰＴＣ加熱器２２とファン２３がつながって設置され、前記ファン２３と前記活性炭層２１がつながって設置される請求項１乃至６のいずれかに記載の靴浄化機。
【考案の詳細な説明】
【技術分野】
【０００１】
本考案は靴浄化機に関する。
【背景技術】
【０００２】
靴の中に湿気が残されていて、それを完全に乾燥しないと、長く履いているうちに異臭が発生し、靴に細菌が生じて、足の健康にマイナスな影響を及ぼすことになる。従来から、業者の研究により、殺菌、除臭及び乾燥の作用がある関連商品が幾つか研究、開発されており、それが、例えば特許文献１、２などにより提案されている。
【０００３】
特許文献１は１９９９年６月１１日公開の台湾特許公開第３６１２０１号「靴の殺菌、除臭、乾燥可能な多機能靴棚」に関するものである。この文献１の多機能靴棚は主に制御ユニット、ワークユニット、及び送風ユニットからなる。この場合、制御ユニットは幾つかの起動スイッチがある。ワークユニットは起動スイッチに合わせて幾つかの掛置き構造になっていて、掛置き構造の外側にすべて通し孔があり、また圧着スイッチが突設されて、その内部に加熱部品があり、それぞれはエアウェイで電磁弁及び送風ユニットがつながる送風口を通ることにより、掛置き構造に置かれた靴が圧着スイッチを押せるようにして、通されるようになっている。靴棚又は殺菌、除臭と乾燥の機能を持つものとして使われている。
【０００４】
特許文献２は１９９６年１２月２１日公開の台湾特許公開第２９４３２２号「殺菌、除臭機能があるたんす乾燥機」に関するものである。これはたんす乾燥機として使われるもので、芳香剤の入れ物、ファン装置、オゾン生成器、セラミック加熱器が内蔵されており、ファン装置により、空気を排出口側へ導出し、オゾン生成器及びセラミック加熱器に合わせて、オゾン又は恒温の熱風を適当に生成するようになっている。
【０００５】
【特許文献１】台湾特許公開第３６１２０１号（１９９９年６月１１日公開）「靴の殺菌、除臭、乾燥可能な多機能靴棚」
【特許文献２】台湾特許公開第２９４３２２号（１９９６年１２月２１日公開）「殺菌、除臭機能があるたんす乾燥機」
【考案の開示】
【考案が解決しようとする課題】
【０００６】
しかしながら、上記従来の技術には、次のような課題がある。
（１）特許文献１、２のものでは、殺菌と除臭の機能は複層ろ過と浄化作用が採用されず、何れも汚染されたエアに対する一回の除菌、除臭による浄化作用を行うだけなので、空気中の汚染因子（埃、廃棄空気、パーティカル、ダニ、細菌やウィルス等）を一回できれいにしようとしても、不完全な所が残り、殺菌や除臭効果は低下せざるを得ない。
（２）特許文献１の多機能靴棚は、幾つかの掛置き構造により、複数の靴の内部に対する殺菌、除臭、乾燥等の作用を行うものだが、この特許文献１の靴棚では、掛置き構造の設置形式が空気汚染に関する問題が考慮されていない。すなわち、靴へのエア吹きにより、靴の表面を埃や細菌などが飛びまわり、空気が汚染されるので、人体にマイナスな影響を及ぼし、アレルギー病原菌が発生することがある。
（３）特許文献たんす乾燥機は、一排出口により物品への殺菌、除臭と乾燥を行うもので、個別物品の使用に応じた構造設計が施されていないため、複数の物品に同時に使用することができない。
【０００７】
本考案は、このような従来の課題に鑑みなされたもので、複層ろ過が可能で、乾燥、殺菌、及び除臭機能を持つ、優れた靴浄化機を提供すること、を目的とする。
【課題を解決するための手段】
【０００８】
上記課題を解決するために、本考案の靴浄化機は、次のような構成を備えることを特徴とする。図１乃至図７を参照されたい。
（１）本体１０が設けられる。
（２）本体１０のてっぺんに吸気孔１１がある。
（３）本体１０の周辺に靴掛け３０が可能な複数の支え１２があり、支え１２の表面に通気孔１３がある。
（４）本体１０のてっぺんに温度制御可能な操作インターフェース１４がある。
（５）本体１０内部に本体１０の吸気孔１１につながる浄化装置２０が設けられる。浄化装置２０は、空気をろ過するための活性炭層２１、ろ過空気の温度を上げるためのＰＴＣ加熱器２２、及び浄化装置２０を通る空気の流れを促進するためのファン２３が設けられる。
【０００９】
また、この靴浄化機は各部に次のような構成を備えることが好ましい。
（６）前記浄化装置２０は、その周囲に空気を浄化するためのマイナスイオン生成器２５が設けられる。
（７）前記浄化装置２０は、その周囲に空気を浄化するためのオゾン生成器２４があり、操作インターフェース１４は、オゾン生成器２４を起動し、働かせるための制御ボタン１４１が設けられる。
（８）前記支え１２はカーブ状で、支え１２の表面の通気孔１３はリング状に並べられる。（９）前記支え１２のてっぺんには、空気が流れるのに供するための通し孔１３１が設けられる。
（１０）前記本体１０のてっぺんには、本体１０の内部部品の交換に便利で且つ開けられるカバー１０１が設けられる。
（１１）前記ＰＴＣ加熱器２２とファン２３とがつながり、前記ＰＴＣ加熱器２２は活性炭層２１とつながるように設けられる
（１２）前記ＰＴＣ加熱器２２とファン２３とがつながり、前記ファン２３は活性炭層２１とつながるように設けられる。
【考案の効果】
【００１０】
本考案の靴浄化機は、上記の各構成により、次のような作用効果を有する。
（１）靴浄化機１は、二段階の浄化作用があり、浄化装置２０の活性炭層２１により、空気中の埃などをろ過し、水分を吸収して、第一段階の浄化が達成される。その後、ファン３０の換気及びオゾン及び／又はマイナスイオン機能の起動により、埃などが除去され、殺菌が行われ、残りの水分が吸収されて、第二段階の浄化が完成される。二段階の浄化作用により、二重の殺菌、除臭及び除湿効果が達成される。その他に、靴が掛けられていないときは空気洗浄機として使うこともできる。
（２）浄化装置２０のＰＴＣ加熱器２２はセラミック材料が採用されて、抵抗が大きく、発熱しやすいという特性があり、予熱時間が短縮されて、乾燥作用を早く行うことができる。そして、タイマーツマミ１４３が設けられることにより、空気の加熱温度を４５度に維持して、靴体の革及びその他の靴類の材質にダメージを及ぼすことがなく、また、機器の過度使用による事故の発生を避けることができる。
（３）支え１２により、靴３０を広げて、靴３０内に空気を流すことができ、また、支え１２の通気孔１３及び通し孔１３１により、靴の内部に空気が流れることによって、浄化作用が行われる。また、支え１２はリング状で本体１０の周りに設けられたことで、靴３０の外部から吹き落とされたダニや細菌などを吸い取り、菌体毒素からの二次汚染を避けることができ、繰り返される空気の浄化作用で、室内の空気の汚染源を低減することができる。
【考案を実施するための最良の形態】
【００１１】
以下、本考案の実施の形態について図面を用いて説明する。図１乃至図５に第１の実施の形態を示している。図１、図２は靴浄化機の斜視図である。図３は靴浄化機の断面図である。図４は靴浄化機の底面図である。図５は靴浄化機の使用時の側面図である。
【００１２】
図１乃至図４に示すように、靴浄化機は本体１０と本体１０に内蔵された浄化装置２０とを備える。本体１０は頂部に吸気孔１１及び温度を制御可能な操作インターフェース１４を有する。また、本体１０の周囲に靴３０を掛止可能な複数の支え１２が形成され、これらの支え１２の表面には通気孔１３が設けられる。浄化装置２０は本体１０の内部で吸気孔１１につながるところに設けられる。この浄化装置２０は、空気をろ過するための活性炭層２１と、活性炭層２１につながって設置され、温度を上げるためのＰＴＣ加熱器２２と、空気を浄化装置２０から排出するためのファン２３とを備えて構成される。この場合、ファン２３と本体１０の内側底面との間にギャップ（空間）があり、これにより、吹き出された空気が本体１０の内側底面を曲がってから支え１２の方へ流れるようにするとともに、本体１０内を流れる沈んだ空気が支え１２の方へ流れて、空気が本体１０の底部に停留するようにしている。
【００１３】
浄化装置２０の周囲には、空気を浄化するためのオゾン生成器２４と、空気を浄化するためのマイナスイオン生成器２５が設けられ、操作インターフェース１４にオゾン生成器２４とＰＴＣ加熱器２２をそれぞれ起動するための制御ボタン１４１、１４２、及び時間を制御するためのタイマーツマミ１４３が併せて設けられる。このようにして浄化装置２０は使用目的（例えば、乾燥除湿、殺菌除臭）に応じて機能を選んで使えるようになっている。また、操作インターフェース１４には表示灯１４４が設けられ、ユーザが選んだ機能の実施状況を確認することができ、タイマー設定の機能を組み合わせて、浄化装置２０が過度の使用にならないように利用できる。
【００１４】
ＰＴＣ加熱器２２（Ｐｏｓｉｔｉｖｅ  Ｔｅｍｐｅｒａｔｕｒｅ  Ｃｏｅｆｆｉｃｉｅｎｔ  Ｔｈｅｒｍｉｓｔｏｒｓ加熱器２２）は温度に大変敏感な抵抗値を有する半導体部品で、温度の向上に伴って抵抗値が上がるサーミスターである。使用原料によりセラミックＰＴＣ系サーミスター（Ｃｅｒａｍｉｃ  Ｐｏｓｉｔｉｖｅ  Ｔｅｍｐｅｒａｔｕｒｅ  Ｃｏｅｆｆｉｃｉｅｎｔ  Ｔｈｅｒｍｉｓｔｏｒｓ。略してＣＰＴＣサーミスターという。）があるが、主に陰極線管の自動消磁として使われ、過電流保護の機能があり、しかも、セラミックは抵抗が大きく、発熱しやすく、予熱時間が削減されるので、乾燥作用が早く行われるようになっている。
【００１５】
オゾン生成器２４は、石英ガラス、耐熱ガラス、セラミック及びステンレスを誘電体として使用するもので、電流が誘電体を通って、もう一つの電極に接触すると、コロナ放電が発生して、酸素分子をオゾンに分解するようになっている。コロナで発生したオゾンは濃度が安定し、電気消費量が低く、また、針板の先端で放電することができるが、電圧を上げて、針板で火花を生成し、濃度の低いオゾンを作って、ダニ、細菌を消滅し、分解された細菌の死体から生じた毒素を分解して、菌体毒素からの二次汚染を避けることができる。
【００１６】
マイナスイオン生成器２５は静電気式の処理により、電子と空気中の分子がぶつかって、イオンが発生するようになっている。マイナス電力のイオンはマイナスイオンと呼ばれるが、発生したマイナスイオンは再度空気中のプラスイオン（例えば、埃、廃棄ガス、パーティカル等）と結合してから地面に落下し、マイナスイオンは空気中でプラス電力を持つ（プラスイオン）水分と結合して、除湿作用を持つようになるが、発生したマイナスイオンは下のほうへ拡散するため、ファン３０の吹きつけにより、マイナスイオンを持つ空気が支え１２へ入り、通気孔１３及び通し孔１３１を通って、本体１０の外部へ流されるようになり、マイナスイオンは装置や設備の過多なプラスイオンを除去して、装置や設備の過多のプラスイオンによる静電気作用を防ぐことができる。
【００１７】
支え１２はカーブ状に形成され、図５に示すように、靴３０の内部に入れると、靴３０を広げ、靴３０の内部にある空気の流れをよくすることができる。また、支え１２の表面に通気孔１３がリング状に並べられて設けられ、シューズプレートの形に応じて並べられることにより、空気が靴の中を流れるようになる。さらに、支え１２の頂部に通し孔１３１が設けられ、これにより、空気が高い位置まで吹くようになり、通気孔１３の不足するところを補って、空気が靴３０の内部の隅や縁を流れるようにして、有効な浄化作用が行われる。このようにして支え１２はリング状で本体１０の周辺に設けられて、靴３０の外部に付着したダニ、細菌が吹き出されたときに、吸気孔１１のダニや細菌が汚い空気と共に本体１０内に吸引され、浄化されるため、室内の空気の汚染源が低減され、空気がきれいになる。
【００１８】
図６及び図７に本考案の第２の実施の形態を示している。図６は靴浄化機の全体断面図である。図７は図６の活性炭層の交換を示す透視図である。
【００１９】
第２の実施の形態で第１の実施の形態と異なるのは、本体１０の吸気孔１１及び操作インターフェース１４は、本体１０の内部部品の交換に便利なように、開閉できるカバー１０１に形成され、これにより、靴浄化機１はカバー１０１を開くことで、活性炭層２１を交換して、二段階の浄化作用が持続的に行われるようになっている。なお、カバー１０１の位置は本体１０の頂部に限られるものではなく、カバー１０は本体１０の内部の摩損しやすい部品を交換するのに適した位置に設けられる。また、浄化装置２０の活性炭層２１とファン２３がつながって設置され、ファン２３の他方側はＰＴＣ加熱器２２につながって設置される。これを第１の実施の形態と比較すると、ファン２３と吸気孔１１との距離が短縮され、吹き落とされたダニや細菌及び本体１０の上方にある汚い空気が比較的吸引されやすくなり、簡単に浄化できる。一方、ＰＴＣ加熱器２２から発生した熱は、本体１０内に拡散し、熱い空気が形成され、支え１２を通って、靴の内部へと導入されやすくなり、併せて、オゾン及びマイナスイオンの殺菌効果を伴い、靴の乾燥除湿、殺菌除臭などの浄化に必要とされる時間が短縮される。
【００２０】
この実施の形態では、汚い空気が吸気孔１１を通って、本体１０へ入った後、浄化装置２０の活性炭層２１で空気中の埃などがろ過され、空気中の水分が吸収され、第一階段の浄化作用が達成される。その後、ファン３０の換気及びオゾン及び／又はマイナスイオン機能の起動により、埃などが除去され、殺菌が行われ、さらに残りの水分が吸収されて、第２階段の浄化作用が完成される、このように二段階の二重の浄化作用のろ過過程、及び浄化装置２０のＰＴＣ加熱器２２の起動により靴３０の殺菌、除臭、除湿及び靴３０の乾燥の浄化作用が行われる。
【００２１】
なお、この靴浄化機は、タイマーツマミ１４３をオンにして、制御ボタン１４１，  １４２を押さないでおくと、活性炭層２１、ファン２３及びマイナスイオン生成器２５が働いて、室内の空気浄化機として使用することができ、靴の浄化が行われていないときでも、この靴浄化機が放置されることなく、有効に使用することができる。
【００２２】
以上、本考案について、図面に示す好ましい実施の形態に基づいて説明してきたが、本考案はこの実施の形態に制限されるものではなく、本考案の要旨に一致する限り、変更や改造を加えたものとしても、すべて本考案の範囲内に属するものである。
【図面の簡単な説明】
【００２３】
【図１】本考案の第１の実施の形態における靴浄化機の斜視図
【図２】同浄化機の斜視図
【図３】同浄化機の断面図
【図４】同浄化機の底面図
【図５】同浄化機の使用例を示す斜視図
【図６】本考案の第２の実施の形態における靴浄化機の断面図
【図７】同浄化機の活性炭層の交換を示す透視図
【符号の説明】
【００２４】
１  靴浄化機
１０  本体
１０１  カバー
１１  吸気孔
１２  支え
１３  通気孔
１３１  通し孔
１４  操作インターフェース
１４１  制御ボタン
１４２  制御ボタン
１４３  タイマーツマミ
１４４  表示灯
２０  浄化装置
２１  活性炭層
２２  ＰＴＣ加熱器
２３  ファン
２４  オゾン生成器
２５  マイナスイオン生成器
３０  靴
【図１】
0003141680.tif 000003
【図２】
0003141680.tif 000004
【図３】
0003141680.tif 000005
【図４】
0003141680.tif 000006
【図５】
0003141680.tif 000007
【図６】
0003141680.tif 000008
【図７】
0003141680.tif 000009